(57)【特許請求の範囲】
【請求項１】
光ディスクへレーザーを照射するレーザーダイオードと、
該レーザーダイオードへ駆動電流を供給するレーザードライバーとを具備し、前記レーザーダイオードから照射されるレーザー光によって光ディスクにデータを記録する光ディスク記録再生装置において、
前記レーザーダイオードから出力されるレーザー光の強度を検出する強度検出手段と、
レーザー光の強度の変動を抑えるために、前記強度検出手段によって検出されたレーザー光の強度に応じた電圧がフィードバックして入力され、前記レーザダイオードの出力の変化に応じて前記レーザードライバーに印加する電圧を制御する第１の電圧制御手段と、
該第１の電圧制御手段から前記レーザードライバーへ印加する電圧値をサンプリングするサンプリング手段と、
該サンプリング手段によってサンプリングされた電圧値を記憶する記憶手段と、
光ディスクへのデータの記録が一時停止された後にデータの記録を再開する場合には、該データの記録が一時停止される前の電圧値であって前記記憶手段に記憶されていた電圧値を前記記憶手段から抽出し、該抽出した電圧値に基づいて記録が一時停止する前と同じ大きさの電圧を前記レーザードライバーに印加してデータの記録を再開する第２の電圧制御手段とを具備し、
該第２の電圧制御手段による電圧制御は、前記フィードバックの遅延時間よりも長くなるように予め設定された時間の経過後に終了することを特徴とする光ディスク記録再生装置。
【発明の詳細な説明】
【０００１】
【発明の属する技術分野】
本発明は、ＣＤ−ＲやＣＤ−ＲＷ等の光ディスクにデータを記録することができる光ディスク記録装置に関する。
【０００２】
【従来の技術】
光ディスクにデータを記録する記録装置として、ＣＤ−Ｒ（Conpact Disc-Recordable）ドライブ装置やＣＤ−ＲＷ（Conpact Disc-Rewritable）ドライブ装置が知られている。
光ディスクにデータを記録するには、半導体レーザーから照射されるレーザー光を光ディスクの記録層に集光して、記録層の有機色素を硬化させて記録層の反射率を変更することで行なわれる。
【０００３】
以下、光ディスク記録再生装置の一例としてのＣＤ−Ｒドライブ装置のブロック図である図２に基づいて、光ディスクへデータを記録する際の動作について説明する。
ＣＤ−Ｒドライブ装置９は、ホストコンピュータ８に接続されるかまたは内蔵され、ホストコンピュータ８側から転送されてくるデータをＣＤ−Ｒ１０に書込む装置である。
【０００４】
ＣＤ−Ｒドライブ装置９は、ＣＤ−Ｒ１０に照射するレーザー光を発振するレーザーダイオード１２（以下、単にＬＤという）と、該ＬＤ１２を駆動する駆動電流をＬＤ１２へ供給するレーザードライバー１４と、レーザードライバー１４を電圧制御するＡＰＣ（Auto Power Contorol）回路１６とを備えている。
【０００５】
ＬＤ１２は、ＬＤ１２から照射されたレーザー光を集光する対物レンズを有し、該対物レンズをフォーカス方向およびトラッキング方向に駆動する光ピックアップ（図示せず）を通じてＣＤ−Ｒ１０にレーザー光を入射する。
ＬＤ１２からは、適切なパワーを有するレーザー光が出力し、これによって、ＣＤ−Ｒ１０上にデータが記録される。
【０００６】
ＡＰＣ回路１６には、レーザー光の強度を検出しているモニタダイオード１８から、光強度を電圧に変換する電圧変換器１７を経て、光強度に応じた値の電圧が入力されている。このように、実際に出力されている光強度をフィードバックさせてＡＰＣ回路１６に入力することで、ＬＤ１２の出力の変化に応じてレーザードライバー１４への印加電圧を変動させてレーザー光の強度変化を最小限に抑えることができる。
【０００７】
なお、このような従来のＣＤ−Ｒドライブ装置９において、データをＣＤ−Ｒ１０に記録している間に、ＣＤ−Ｒ１０へ記録するデータが格納されているホストコンピュータ８側からのデータ転送が間に合わずに遅れてしまった場合などは、データの記録を一時停止することとなる。
そして、ホストコンピュータ８側からのデータ転送が間に合うようになると、一時停止を解除して、一時停止したトラックから再度データの続きを書込むようにしている。
【０００８】
【発明が解決しようとする課題】
しかし、データの記録の一時停止を解除してレーザー光の照射を再開する際に、モニタダイオード１８からのフィードバック制御信号がＡＰＣ回路１６へ入力されるまでには、数十μＳｅｃ程度の遅延が生じる。
したがって、その遅延時間の間はレーザー光がデータを書込むことができる程度の所定の強度に達していないためデータの記録ができず、記録を停止してから実際にデータが書込まれるまで、光ディスク上にはデータの欠損区間が生じてしまうという課題がある。
【０００９】
光ディスク上のデータの欠損区間が数十μＳｅｃ程度であれば、実際には人間の耳ではデータ欠損があるかどうかも判断できない。
しかし、データの欠損区間をなるべく短くするような努力は従来から払われており、なるべく遅延時間を短くするためのフィードバック回路構成が採用されてきている。
ただ、いくら遅延時間を短縮しようとしても大幅に短縮するまでは至らず、また様々なフィードバック回路構成を機種毎に採用することによって、各機種によってデータ欠損区間の長さにバラツキが生じてしまっているという課題もある。
さらにこのようなバラツキは、同一のフィードバック回路を採用していた場合であっても、異なるピックアップを採用していたり、周囲の温度の変化によってもデータ欠損区間の長さにバラツキを生じていた。
【００１０】
そこで、本発明は上記課題を解決すべくなされ、その目的とするところは、光ディスクにデータを記録している最中に、記録が一時停止し、その後記録を再開する際に、データが記録されないデータ欠損区間を、フィードバック回路の回路構成によらずにきわめて短く短縮することができる光ディスク記録再生装置を提供することにある。
【００１１】
【課題を解決するための手段】
すなわち、本発明にかかる光ディスク記録装置によれば、光ディスクへレーザーを照射するレーザーダイオードと、該レーザーダイオードへ駆動電流を供給するレーザードライバーとを具備し、前記レーザーダイオードから照射されるレーザー光によって光ディスクにデータを記録する光ディスク記録再生装置において、前記レーザーダイオードから出力されるレーザー光の強度を検出する強度検出手段と、レーザー光の強度の変動を抑えるために、前記強度検出手段によって検出されたレーザー光の強度に応じた電圧がフィードバックして入力され、前記レーザダイオードの出力の変化に応じて前記レーザードライバーに印加する電圧を制御する第１の電圧制御手段と、該第１の電圧制御手段から前記レーザードライバーへ印加する電圧値をサンプリングするサンプリング手段と、該サンプリング手段によってサンプリングされた電圧値を記憶する記憶手段と、光ディスクへのデータの記録が一時停止された後にデータの記録を再開する場合には、該データの記録が一時停止される前の電圧値であって前記記憶手段に記憶されていた電圧値を前記記憶手段から抽出し、該抽出した電圧値に基づいて記録が一時停止する前と同じ大きさの電圧を前記レーザードライバーに印加してデータの記録を再開する第２の電圧制御手段とを具備し、該第２の電圧制御手段による電圧制御は、前記フィードバックの遅延時間よりも長くなるように予め設定された時間の経過後に終了することを特徴としている。
【００１２】
この構成を採用することによる光ディスク記録再生装置の動作を説明する。
まず、データの記録が一時停止するかどうかにかかわらず、第１の電圧制御手段からレーザードライバーに印加される電圧値はサンプリング手段により抽出される。
サンプリング手段によって抽出された電圧値は、記憶手段内にその値が記憶される。この電圧値の記憶は随時更新され、常に最新の電圧値が記憶されているようにする。
【００１３】
そして、データの記録が一時停止した後、同一のディスク上でデータ記録を再開する際には、最初に第２の電圧制御手段が、データの記録が一時停止する直前の、レーザードライバーに付加されている電圧値を記憶手段から読み出し、この値に該当する電圧をレーザードライバーに印加する。
第２の電圧制御手段によって印加された電圧値によりレーザードライバーが作動し、レーザーダイオードにおいてレーザーが発振し始めると、レーザー光の強度が強度検出手段で検出されて第１の電圧制御手段にフィードバックされる。
すると、第１の電圧制御手段がレーザードライバーへ印加する電圧値が安定して出力してくる。そこで、第２の電圧制御手段によるレーザードライバーに対しての電圧の印加は、フィードバックの遅延時間よりも長くなるように予め設定された時間の経過後に停止する。
【００１４】
このため、第１の電圧制御手段にレーザー光の強度がフィードバックしてくる前に、レーザードライバには実際に直前まで加えていた電圧が印加されるので、すぐにデータの記録可能な強度のレーザー光を発振させることができる。
したがって、フィードバック回路の遅延時間にかかわらず、データの記録を再開したらすぐにデータの記録を行なうことができ、光ディスク上でのデータ記録欠損区間をきわめて短く短縮することができる。
【００１５】
【発明の実施の形態】
以下、本発明の好適な実施の形態を添付図面に基づいて詳細に説明する。
まず、図１に光ディスク記録再生装置の一例としてのＣＤ−Ｒドライブ装置の内部構造についてのブロック図を示し、これに基づいてまず本実施形態の装置の構成について説明する。
なお、従来の技術で説明した構成要素と同一の構成要素については、同一の符号を付し、説明を省略する場合もある。
【００１６】
従来の技術と同様に、ＣＤ−Ｒドライブ装置３０は、ホストコンピュータ８に接続されるかまたは内蔵され、ホストコンピュータ８側から転送されてくるデータをＣＤ−Ｒ１０に書込む装置である。
【００１７】
ＣＤ−Ｒドライブ装置３０は、ＣＤ−Ｒ１０に照射するレーザー光を発振するレーザーダイオード１２（以下、単にＬＤという）と、該ＬＤ１２を駆動する駆動電流をＬＤ１２へ供給するレーザードライバー１４と、レーザードライバー１４を電圧制御するＡＰＣ（Auto Power Contorol）回路１６とを備えている。
【００１８】
レーザーダイオード（以下、ＬＤという）１２は、従来の技術でも説明したようにレーザードライバー１４に接続されており、レーザードライバー１４による電流制御によってそのレーザー光の出力が制御される。
レーザードライバー１４には、ＡＰＣ回路１６が接続されている。このＡＰＣ回路１６が、特許請求の範囲での第１の電圧制御手段に該当する。
ＡＰＣ回路１６は、電圧変換器１７を介してモニタダイオード１８に接続されている。モニタダイオード１８が特許請求の範囲での強度検出手段である。
モニタダイオード１８は、ＬＤ１２から出力されているレーザー光の強度を検出する。電圧変換器１７は、モニタダイオード１８からの光強度の検出信号を電圧に変換し、該電圧に変換した変換値をＡＰＣ回路１６へフィードバック制御信号として入力している。
【００１９】
符号２４はＡ／Ｄコンバータである。Ａ／Ｄコンバータ２４は、ＡＰＣ回路１６とレーザードライバー１４との間に接続されており、ＡＰＣ回路１６からレーザードライバ１４へ供給される供給電圧値（アナログ）を、サンプリングしてデジタル値に変換する。デジタル値に変換された電圧値は、電圧値信号として記憶手段の一例としてのメモリ２２へ出力される。かかるＡ／Ｄコンバータ２４が、特許請求の範囲でいうサンプリング手段である。
メモリ２２では、所定の周期毎にサンプリングされた電圧値信号を絶えず更新しつつ記憶する。すなわち、新たにサンプリングされた電圧値があれば、過去の電圧値に上書きされるように記憶され、メモリ２２内には常時最新の電圧値が記憶されていることとなる。
【００２０】
Ｄ／Ａコンバータ２６は、メモリ２２内のデータ（上述してきたサンプリングされた電圧値信号）を読み出してアナログ値に変換するために設けられている。
Ｄ／Ａコンバータ２６は、アナログ値に変換された電圧をレーザードライバー１４へ印加することができる。
これにより、レーザードライバー１４は、ＡＰＣ回路１６からの電圧制御を受けることができると共に、Ｄ／Ａコンバータ２６からの電圧制御も受けることができる。このようなＤ／Ａコンバータ２４が、特許請求の範囲でいう第２の電圧制御手段に該当する。
【００２１】
Ａ／Ｄコンバータ２４、メモリ２２、Ｄ／Ａコンバータ２６には、ＣＰＵ２０が接続され、ＣＰＵ２０の命令により動作する。
ＣＰＵ２０は、図示されていないＲＯＭ等の記憶手段に予め記憶されている制御プログラムによって動作する。
例えば、ＣＰＵ２０の動作は、データの記録が順調に行なわれている場合には、Ａ／Ｄコンバータ２４に対してＡＰＣ回路１６がレーザードライバー１４へ印加している電圧値をサンプリングさせ、サンプリングした値をメモリ２２に記憶させる。そして、ホストコンピュータ８からのデータ転送の遅れによるデータ記録の一時停止が生じ、その後データ記録を再開することになった場合には、ＣＰＵ２０は、Ｄ／Ａコンバータ２６を用いてメモリ２２内に記憶されている電圧値のデータ（ＡＰＣ回路１６が印加していた電圧値）を抽出し、このデータをアナログ変換して供給電圧値としてレーザードライバー１４へ印加する。
【００２２】
次に、上述してきたＣＤ−Ｒドライブ装置の動作について説明する。
ホストコンピュータ８から転送されてくるデータのＣＤ−Ｒ１０への記録を開始すると、まず、ＡＰＣ回路１６からレーザードライバー１４へ制御電圧が印加され、レーザードライバー１４からＬＤ１２へ駆動電流が供給される。
ＬＤ１２は、駆動電流によってレーザー発振し、駆動電流値に応じた強度のレーザー光を出力する。このとき、モニタダイオード１８が検出したレーザー光の強度は電圧変換器１７を介して電圧変換されフィードバック制御信号としてＡＰＣ回路１６へフィードバックされる。
しかし、データの記録を開始した直後には、まだフィードバック制御信号がフィードバック回路の有する遅延時間分、ＡＰＣ回路１６に遅れて入力されるためである。
【００２３】
データの記録開始直後は、フィードバックがＡＰＣ回路１６にかかっていないので、ＡＰＣ回路１６は安定した電圧制御ができず、これによりレーザードライバー１４も安定した電流制御ができないのでＬＤ１２が出力するレーザ光の強度も安定しておらず、データの記録を開始直後はフィードバックの遅延時間分データの記録がない区間が生じる。
ただし、ここでのデータ欠損区間はＣＤ―Ｒ１０上では最初の出出し部分であるので、特にこの欠損区間を短縮しようとすることは考慮していない。
【００２４】
フィードバック制御信号がＡＰＣ回路１６へ入力されるようになると、ＡＰＣ回路１６は常に一定の電圧値がレーザードライバー１４に印加されるように制御を行なう。
これにより、レーザードライバー１４も常に一定の駆動電流をＬＤ１２に流すようになるため、レーザー光の強度にバラツキが無く、ほぼ一定の強度でレーザー光を照射することができる。
【００２５】
ＡＰＣ回路１６から、レーザードライバー１４へ印加される電圧値は、Ａ／Ｄコンバータ２４がサンプリングし、デジタル変換される。
このデジタル変換された電圧値は、メモリ２２へ記憶される。
メモリ２２では、電圧値が次々に更新されて、常に最新の電圧値が記憶されるようにしている。
【００２６】
ＣＤ−Ｒ１０へデータの記録を続けていくと、途中でホストコンピュータ側からのデータ転送が遅くなったりすることにより、データのＣＤ−Ｒ１０への記録が中断される場合がある。
このような場合には、データ転送が正常な状態に戻るまで記録を一時停止する。そして、データ転送が正常に戻ったことが判明した場合には、再度このデータを、データ記録が中断していたトラックから記録を再開する。
データの転送の遅れ等の判断はＣＰＵ２０が行なうようにしてもよいし、他の制御手段が行なうようにしてもよい。
【００２７】
データ記録の再開時には、フィードバックの遅延時間によるデータ欠損区間を短縮するため、次のようにしてＬＤ１２の制御が行なわれる。
まず、ＣＰＵ２０が、Ｄ／Ａコンバータ２６に、記録が一時停止された直前にレーザードライバー１４に印加していた電圧値をメモリ２２から読み出させる。読み出された電圧値は、Ｄ／Ａコンバータ２６によって、アナログ値に変換されてレーザードライバー１４へ印加される。
このデータ記録再開直後は、ＡＰＣ回路１６はまだフィードバック制御信号が入力されておらず、安定した電圧制御ができていないので、Ｄ／Ａコンバータ２６によって印加されたデータの記録停止前の印加電圧によってレーザードライバー１４が作動し、レーザードライバー１４からの駆動電流によってＬＤ１２が駆動される。
【００２８】
モニタダイオード１８からのフィードバック制御信号が、ＡＰＣ回路１６に入力されると、ＡＰＣ回路１６からのレーザードライバー１４へ印加する電圧値が安定して出力される。
ＣＰＵ２０は、Ａ／Ｄコンバータ２４で抽出しているＡＰＣ回路１６からの電圧値が安定して出力されてきたことを検出したら、Ｄ／Ａコンバータ２６による電圧の制御を終了させる。
そして、これ以降は通常のＡＰＣ回路１６によるフィードバック制御によってレーザー光が照射されるのである。
【００２９】
なお、Ｄ／Ａコンバータ２６による電圧制御の終了時は、ＡＰＣ回路１６からの電圧値をみて行なうのではなく、遅延時間よりも少し長くなるような時間を予め設定しておき、ＣＰＵ２０がこの設定した時間の終了を計測したらＤ／Ａコンバータ２６による電圧制御を終了させるようにしてもよい。
【００３０】
また、光ディスク記録再生装置としては、上述したようなＣＤ−Ｒドライブ装置に限定されることはなく、ＣＤ−ＲＷドライブ装置であってもよい。
【００３１】
以上本発明につき好適な実施例を挙げて種々説明したが、本発明はこの実施例に限定されるものではなく、発明の精神を逸脱しない範囲内で多くの改変を施し得るのはもちろんである。
【００３２】
【発明の効果】
本発明に係る光ディスク記録再生装置によれば、レーザーダイオードから出力されるレーザー光の強度を検出する強度検出手段と、レーザー光の強度の変動を抑えるために、強度検出手段によって検出されたレーザー光の強度に応じた電圧がフィードバックして入力され、レーザダイオードの出力の変化に応じてレーザードライバーに印加する電圧を制御する第１の電圧制御手段と、第１の電圧制御手段からレーザードライバーへ印加する電圧値をサンプリングするサンプリング手段と、サンプリング手段によってサンプリングされた電圧値を記憶する記憶手段と、光ディスクへのデータの記録が一時停止された後にデータの記録を再開する場合には、データの記録が一時停止される前の電圧値であって記憶手段に記憶されていた電圧値を記憶手段から抽出し、抽出した電圧値に基づいて記録が一時停止する前と同じ大きさの電圧をレーザードライバーに印加してデータの記録を再開する第２の電圧制御手段とを具備し、第２の電圧制御手段による電圧制御は、フィードバックの遅延時間よりも長くなるように予め設定された時間の経過後に終了するようにしたので、フィードバック回路の遅延時間にかかわらず、データの記録を再開したらすぐにデータの記録を行なうことができ、光ディスク上でのデータ記録欠損区間をきわめて短く短縮することができる。
【図面の簡単な説明】
【図１】  本発明に係る光ディスク記録再生装置を説明するブロック図である。
【図２】  従来の光ディスク記録再生装置を説明するブロック図である。
【符号の説明】
１２  レーザーダイオード
１４  レーザードライバー
１６  ＡＰＣ回路
１７  電圧変換器
１８  モニタダイオード
２０  ＣＰＵ
２２  メモリ
２４  Ａ／Ｄコンバータ
２６  Ｄ／Ａコンバータ
３０  ＣＤ−Ｒドライブ装置
【図１】
0003678648.tif 000002
【図２】
0003678648.tif 000003